(57)【要約】      （修正有）【課題】照射窓に窓箔をたるみ、ゆがみ、しわ等がなく簡単に緊張して張ることができる電子線照射装置の窓箔取付装置を提供する。【解決手段】照射窓の窓箔取付ウインドウフランジ１外面の内側高部面４と外側低部面５との間に、内側高部面４とのなす角が９０度または鈍角の外周面６を形成し、窓箔１０の周縁部を内側高部面４及び外周面６に当接し、枠状の押え板１１内面の内側低部面１２と外側高部面１３との間に、内側低部面１２とのなす角が９０度または鈍角の内周面１４を形成し、押え板１１の内側低部面１２及び内周面１４を、窓箔１０の周縁部を介してフランジ１の内側高部面４及び外周面６に当接するとともに、押え板１１の外側高部面１３をフランジ１の外側低部面５に当接し、押え板１１の周縁部を貫通しフランジ１に螺合したボルト１７により、押え板１１をフランジ１に固着し、窓箔１０をフランジ１と押え板１１に挟持する。【選択図】図１
2004354146.tif 000002
【特許請求の範囲】
【請求項１】
電子線発生部から電子線を取り出す照射窓の窓箔取付ウインドウフランジと、
前記フランジの外面に形成された内側高部面及び外側低部面と、
前記内側高部面と前記外側低部面との間に形成され、前記内側高部面とのなす角が９０度または鈍角の外周面と、
前記フランジの前記中空部を覆い、周縁部が前記内側高部面及び前記外周面に当接した窓箔と、
枠状の押え板と、
前記押え板の内面に形成された内側低部面及び外側高部面と、
前記内側低部面と前記外側高部面との間に形成され、前記内側低部面とのなす角が９０度または鈍角の内周面とを備え、
前記押え板の前記内側低部面及び前記内周面が、前記窓箔の周縁部を介して前記フランジの前記内側高部面及び前記外周面に当接するとともに、
前記押え板の前記外側高部面が前記フランジの前記外側低部面に当接し、
前記押え板の周縁部を貫通し前記フランジに螺合したボルトにより、前記押え板が前記フランジに固着され、前記窓箔が前記フランジと前記押え板に挟持されたことを特徴とする電子線照射装置の窓箔取付装置。
【請求項２】
窓箔取付ウインドウフランジの内側高部面と外周面との間に凸わん曲面が形成され、押え板の内側低部面と内周面との間に凹わん曲面が形成されたことを特徴とする請求項１記載の電子線照射装置の窓箔取付装置。
【発明の詳細な説明】
【０００１】
【発明の属する技術分野】
本発明は、真空状態にある電子線発生部から、大気あるいは不活性ガスの雰囲気下にある照射領域に、電子線を取り出す照射窓において、照射窓に窓箔を取り付ける電子線照射装置の窓箔取付装置に関する。
【０００２】
【従来の技術】
従来の電子線照射装置を図４及び図５を参照して説明する。図４は電子線照射装置を示し、ａは前後方向に位置し下方に電子線を照射する電子線発生部、ｂは電子線発生部ａから電子線を取り出す照射窓、ｃは左右方向の筺体であり、照射窓ｂに接続され、筺体ｃの内部を被搬送物が搬送される。電子線発生部ａ内は真空状態にあり、筺体ｃ内の照射領域は大気あるいは不活性ガスの雰囲気下にあるため、照射窓ｂ部分の図５に示すように、照射窓ｂのウインドウフランジｄに、電子線を透過させることができるＴｉ箔等金属製の窓箔ｅを取り付けて電子線発生部ａ内を真空状態に保っている。
【０００３】
窓箔ｅは、窓箔ｅの周縁部を、その周縁部の重ね面が平面のみのフランジｄに重ね、窓箔ｅの周縁部に、その周縁部への当接面が平面のみの枠状の押え板ｆを当接し、押え板ｆをフランジｄにボルトにより固定し、窓箔ｅをフランジｄに取り付けている（例えば、特許文献１参照。）。
【０００４】
【特許文献１】
特開２０００−３４６９９８号公報（第２，３頁、図１，図２）
【０００５】
【発明が解決しようとする課題】
従来の前記窓箔ｅの取り付けは、照射窓ｂのフランジｄの平面のみに窓箔ｅの周縁部を当てがい、押え板ｆの平面のみを窓箔ｅに当てがうのみであるため、窓箔ｅにたるみ、ゆがみ、しわ等が発生し、簡単に窓箔ｅをたるみ、ゆがみ、しわ等がなく緊張して張ることができないという問題点がある。
【０００６】
本発明は、前記の点に留意し、照射窓に窓箔をたるみ、ゆがみ、しわ等がなく簡単に緊張して張ることができる電子線照射装置の窓箔取付装置を提供することを目的とする。
【０００７】
【課題を解決するための手段】
前記目的を達成するために、本発明の電子線照射装置の窓箔取付装置は、
電子線発生部から電子線を取り出す照射窓の窓箔取付ウインドウフランジと、前記フランジの外面に形成された内側高部面及び外側低部面と、前記内側高部面と前記外側低部面との間に形成され、前記内側高部面とのなす角が９０度または鈍角の外周面と、
前記フランジの前記中空部を覆い、周縁部が前記内側高部面及び前記外周面に当接した窓箔と、
【０００８】
枠状の押え板と、前記押え板の内面に形成された内側低部面及び外側高部面と、前記内側低部面と前記外側高部面との間に形成され、前記内側低部面とのなす角が９０度または鈍角の内周面とを備え、
【０００９】
前記押え板の前記内側低部面及び前記内周面が、前記窓箔の周縁部を介して前記フランジの前記内側高部面及び前記外周面に当接するとともに、前記押え板の前記外側高部面が前記フランジの前記外側低部面に当接し、
【００１０】
前記押え板の周縁部を貫通し前記フランジに螺合したボルトにより、前記押え板が前記フランジに固着され、前記窓箔が前記フランジと前記押え板に挟持されたことを特徴とするものである。
【００１１】
前記のように構成された本発明の電子線照射装置の窓箔取付装置は、照射窓の窓箔取付ウインドウフランジ外面に、内側高部面及び外側低部面が形成されるとともに、内側高部面と外側低部面との間に、内側高部面とのなす角が９０度または鈍角の外周面が形成され、
窓箔の周縁部が内側高部面及び外周面に当接し、
【００１２】
枠状の押え板内面に、内側低部面及び外側高部面が形成されるとともに、内側低部面と外側高部面との間に、内側低部面とのなす角が９０度または鈍角の内周面が形成され、
【００１３】
押え板の内側低部面及び内周面が、窓箔の周縁部を介してフランジの内側高部面及び外周面に当接するとともに、押え板の外側高部面がフランジの外側低部面に当接し、
【００１４】
押え板の周縁部を貫通しフランジに螺合したボルトにより、押え板がフランジに固着され、窓箔がフランジと押え板に挟持されるため、凸状のおす側フランジに窓箔を乗せ、凹状のめす側押え板を被せることにより、窓箔にたるみ、ゆがみ、しわ等がなく、窓箔を簡単に緊張して張ることができる。
【００１５】
また、窓箔取付ウインドウフランジの内側高部面と外周面との間に凸わん曲面を形成し、押え板の内側低部面と内周面との間に凹わん曲面を形成するのが望ましい。
【００１６】
この場合、フランジに窓箔を介して押え板を被せた時、フランジの内側高部面と外周面との間、及び押え板の内側低部面と内周面との間に、それぞれ直線状の鋭角の角部が形成されている場合に比し、凸わん曲面及び凹わん曲面により窓箔を損傷することなく、窓箔をより円滑に緊張して張ることができる。
【００１７】
【発明の実施の形態】
本発明の実施の１形態を図１ないし図３を参照して説明する。各図において、１は中空部を有する窓箔取付ウインドウフランジであり、電子線照射装置の電子線発生部から電子線を取り出す照射窓に取り付けられる。２はフランジ１の中空部に平行に設けられた複数個の水冷桟であり、フランジ１周縁部の冷媒路３の冷却水により冷却される。
【００１８】
４はフランジ１の周縁部外面（図１では下面）内側に高く形成された内側高部面、５は内側高部面４の外側に低く形成された外側低部面、６は内側高部面４と外側低部面５との間に形成された外周面であり、外周面６と内側高部面４とのなす角が９０度になっている。７は内側高部面４と外周面６との間、即ち堺に形成された凸わん曲面である。
【００１９】
８は内側高部面４に形成された環状のＯリング用溝、９は溝８に挿入されたＯリングである。
１０はフランジ１の中空部を覆うＴｉ箔等金属製の窓箔であり、窓箔１０の周縁部がフランジ１の内側高部面４及び外周面６に当接する。
【００２０】
１１はフランジ１の周縁部外面に窓箔１０を介し重ねて被せられる枠状の押え板、１２は押え板１１の内面（図１では上面）に低く形成された内側低部面、１３は内側低部面１２の外側に高く形成された外側高部面、１４は内側低部面１２と外側高部面１３との間に形成された内周面であり、内周面１４と内側低部面１２とのなす角が９０度になっている。１５は内側低部面１２と内周面１４との間、即ち堺に形成された凹わん曲面である。
【００２１】
窓箔１０を取り付ける場合、図１に示すフランジ１の上下を逆にしてフランジ１の外面を上にし、窓箔１０をフランジ１に乗せ、窓箔１０の周縁部を、フランジ１の内側高部面４、外周面６及び外側低部面５の一部の上方に位置させる。
【００２２】
つぎに、押え板１１を窓箔１０を介してフランジ１の周縁部に重ね、押え板１１の内側低部面１２及び内周面１４により、窓箔１０の周縁部を押圧し、内側低部面１２及び内周面１４を窓箔１０を介してフランジ１の内側高部面４及び外周面６に当接するとともに、押え板１１の外側高部面１３をフランジ１の外側低部面５に当接する。
【００２３】
この時、フランジ１の内側高部面４と外周面６とにより形成される凸状のおす側と、押え板１１の内側低部面１２と内周面１４とにより形成される凹状のめす側により、窓箔１０の周縁部が一様に外方に緊張され、窓箔１０にたるみ、ゆがみ、しわ等が発生しない。
【００２４】
さらに、フランジ１の凸わん曲面７と押え板１１の凹わん曲面１５により、鋭利な角部がないため、窓箔１０を損傷することなく、より円滑に窓箔１０を張設することができる。
【００２５】
つぎに、押え板１１の周縁外側部の複数個のボルト挿通孔１６にボルト１７を挿通し、フランジ１の外側低部面５の複数個の螺孔１８にボルト１７を螺合し、押え板１１をフランジ１に固定する。
【００２６】
窓箔１０のフランジ１への取り付け後、フランジ１を上下逆にし、フランジ１周縁部の複数個の取付孔１９にボルトを挿通し、照射窓にフランジ１を固着する。
【００２７】
なお、フランジ１の内側高部面４と外周面６とのなす角、及び押え板１１の内側低部面１２と内周面１４とのなす角は、９０度に限らず、９０度より広い鈍角であればよい。
【００２８】
【発明の効果】
本発明は、以上説明したように構成されているので、以下に記載されるような効果を奏する。
照射窓の窓箔取付ウインドウフランジ１外面に、内側高部面４及び外側低部面５が形成されるとともに、内側高部面４と外側低部面５との間に、内側高部面４とのなす角が９０度または鈍角の外周面６が形成され、窓箔１０の周縁部が内側高部面４及び外周面６に当接し、枠状の押え板１１内面に、内側低部面１２及び外側高部面１３が形成されるとともに、内側低部面１２と外側高部面１３との間に、内側低部面１２とのなす角が９０度または鈍角の内周面１４が形成され、押え板１１の内側低部面１２及び内周面１４が、窓箔１０の周縁部を介してフランジ１の内側高部面４及び外周面６に当接するとともに、押え板１１の外側高部面１３がフランジ１の外側低部面５に当接し、押え板１１の周縁部を貫通しフランジ１に螺合したボルト１７により、押え板１１がフランジ１に固着され、窓箔１０がフランジ１と押え板１１に挟持されるため、凸状のおす側フランジ１に窓箔１０を乗せ、凹状のめす側押え板１１を被せることにより、窓箔１０にたるみ、ゆがみ、しわ等がなく、窓箔１０を簡単に緊張して張ることができる。
【００２９】
また、窓箔取付ウインドウフランジ１の内側高部面４と外周面６との間に凸わん曲面７を形成し、押え板１１の内側低部面１２と内周面１４との間に凹わん曲面１５を形成することにより、フランジ１に窓箔１０を介して押え板１１を被せた時、フランジ１の内側高部面４と外周面６との間、及び押え板１１の内側低部面１２と内周面１４との間に、それぞれ直線状の鋭角の角部が形成されている場合に比し、凸わん曲面７及び凹わん曲面１５により窓箔１０を損傷することなく、窓箔１０をより円滑に緊張して張ることができる。
【図面の簡単な説明】
【図１】本発明の実施の１形態の要部切断正面図である。
【図２】本発明の実施の１形態のウインドウフランジを示し、Ａは平面図、Ｂは切断正面図、Ｃは下面図である。
【図３】本発明の実施の１形態の押え板を示し、Ａは平面図、Ｂは切断正面図、Ｃは切断右側面図である。
【図４】従来例を示し、電子線照射装置の正面図である。
【図５】図４の照射窓部分の断面図である。
【符号の説明】
１  ウインドウフランジ
４  内側高部面
５  外側低部面
６  外周面
７  凸わん曲面
１０  窓箔
１１  押え板
１２  内側低部面
１３  外側高部面
１４  内周面
１５  凹わん曲面
１７  ボルト
【図１】
2004354146.tif 000003
【図２】
2004354146.tif 000004
【図３】
2004354146.tif 000005
【図４】
2004354146.tif 000006
【図５】
2004354146.tif 000007